(57)【要約】【課題】塩分を含んだ流体が触れる壁面を冷却し、壁面に生成される氷を掻き落とす方式で塩分を含んだ微細な氷を製造するようになされる装置を提供する。【解決手段】本発明に係る塩分を含んだ微細な氷の製造装置は、塩分を含んだ流体を供給するようになされる給水ユニット；前記給水ユニットから供給される流体を噴霧するように形成される噴霧ノズルを備える給気ユニット；及び、前記噴霧ノズルから噴霧される流体を冷却して、塩分を含んだ微細な氷を生成するようになされる製氷ユニットを含み、前記製氷ユニットは、前記噴霧ノズルから噴霧される流体に触れる内壁が冷却するように形成される氷生成室；及び、前記氷生成室の内壁に生成される氷を掻き落とすように形成されるスクレーパを含む。これによれば、効率良く微細な氷が生成されることができる。【選択図】図１
2020016427.tif 000002
【特許請求の範囲】
【請求項１】
塩分を含んだ流体を供給するようになされる給水ユニット；
前記給水ユニットから供給される流体を噴霧するように形成される噴霧ノズルを備える給気ユニット；及び、
前記噴霧ノズルから噴霧される流体を冷却して、塩分を含んだ微細な氷を生成するようになされる製氷ユニットを含み、
前記製氷ユニットは、
前記噴霧ノズルから噴霧される流体に触れる内壁が冷却するように形成される氷生成室；及び、
前記氷生成室の内壁に生成される氷を掻き落とすように形成されるスクレーパを含む、塩分を含んだ微細な氷の製造装置。
【請求項２】
前記氷生成室は、前記内壁と前記内壁を取り囲む外壁との間に形成される冷媒収容部を含む、請求項１に記載の塩分を含んだ微細な氷の製造装置。
【請求項３】
前記氷生成室は、前記内壁から前記外壁に向かう方向へ突き出すように形成される複数のフィンを備える、請求項２に記載の塩分を含んだ微細な氷の製造装置。
【請求項４】
前記製氷ユニットは、前記冷媒収容部を経由して冷媒を循環させるようになされる冷凍機をさらに含む、請求項２に記載の塩分を含んだ微細な氷の製造装置。
【請求項５】
前記スクレーパは、
前記氷生成室の内部に位置するシャフト；
前記シャフトと連結されて前記シャフトを駆動するようになされる駆動部；及び、
前記氷生成室の内部で前記シャフトと連結され、回転によって前記氷生成室の内壁に形成される氷を掻き落とすようになされる掻き取りブレードを含む、請求項１に記載の塩分を含んだ微細な氷の製造装置。
【請求項６】
前記氷生成室は、前記シャフトと並んで縦方向に延長され、上端に前記噴霧ノズルが装着される円筒状でなり、
前記掻き取りブレードは、回転によって前記氷生成室の内周面に生成される氷を掻き落とすように形成されることを特徴とする、請求項５に記載の塩分を含んだ微細な氷の製造装置。
【請求項７】
前記製氷ユニットは、前記氷生成室と連通し、前記スクレーパによって前記氷生成室の内壁から分離される氷を収容するように形成される氷貯蔵室をさらに含む、請求項１に記載の塩分を含んだ微細な氷の製造装置。
【請求項８】
前記氷貯蔵室は、
一端部が前記氷生成室の下端と連通し、前記氷生成室が延長する縦方向に対して傾いた方向に延長されるガイド部；及び、
前記ガイド部の他端部と連通する貯蔵空間を含む、請求項７に記載の塩分を含む微細な氷の製造装置。
【請求項９】
前記スクレーパは、前記ガイド部内の傾いた内面を掃き出すように形成されるガイドブレードを含む、請求項８に記載の塩分を含んだ微細な氷の製造装置。
【請求項１０】
前記給気ユニットは、
両端部が前記氷貯蔵室及び前記氷生成室にそれぞれ連通するように形成される循環空気流路；及び、
前記循環空気流路に設けられ、前記循環空気流路に前記氷貯蔵室から前記氷生成室に向かう空気の流れを形成するように駆動される送風機をさらに含む、請求項７に記載の塩分を含んだ微細な氷の製造装置。
【請求項１１】
前記給気ユニットは、
両端部が前記氷貯蔵室及び前記噴霧ノズルにそれぞれ連通するように形成される圧縮空気流路；及び、
前記圧縮空気流路に設けられ、前記氷貯蔵室から空気を回収及び圧縮して前記噴霧ノズルに吐出するように駆動されるエアコンプレッサーをさらに含む、請求項７に記載の塩分を含んだ微細な氷の製造装置。
【請求項１２】
前記氷貯蔵室は、メッシュ状でなり、空気が流出される経路を覆うように装着されるフィルター部を含む、請求項１０または請求項１１に記載の塩分を含んだ微細な氷の製造装置。
【請求項１３】
前記氷生成室内に上側から下側に氷及び流体の流れが形成されるように、前記氷生成室の上端に前記噴霧ノズルが装着され、前記氷生成室の下端に前記氷貯蔵室が連結されることを特徴とする、請求項１０または請求項１１に記載の塩分を含んだ微細な氷の製造装置。
【請求項１４】
前記給水ユニットは、
塩分を含んだ流体を収容するように形成される給水タンク；
前記給水タンクに供給される塩を収容するように形成される塩供給部；
前記給水タンクと前記噴霧ノズルとを互いに連通させるように形成される流体供給流路；及び、
前記流体供給流路に設けられ、前記給水タンクの流体を前記噴霧ノズルに供給するように駆動されるポンプを含む、請求項１に記載の塩分を含んだ微細な氷の製造装置。
【発明の詳細な説明】
【技術分野】
【０００１】
本発明は、塩分を含み、且つ微細な大きさを有する氷を製造する装置に関するものである。
【背景技術】
【０００２】
一般的な漁船及び冷凍・冷蔵産業分野において使用される予冷用氷としては、１００％の真水で製氷される氷と、１００％の海水で製氷される氷がある。
【０００３】
特に、漁船で捕獲された魚介類を予冷するにあたり、１００％の真水で製氷された氷を使用する場合、魚介類の鮮度は良く保持されるものの、凍結点が０℃であるため、予冷効果が小さいという不都合がある。これに対し、１００％の海水で製氷された氷は、凍結点が−２１.５℃または他の温度であるため、予冷効果は優れているが、捕獲された魚介類からの浸透圧現象によって鮮度が落ちるという不都合があり、氷を製造するための複雑な装置が求められる。
【０００４】
一方、従来、魚介類の冷却に使用される角氷、砕氷やシャーベット状氷は多量の水分を含んでおり、このような水分は、魚介類の膨潤及び劣化、即ち、腐敗を促進する原因となる。さらに、サイズの大きい氷は、魚介類の表面に均等に接触せず魚介類の温度分布にムラを生じさせ、また、氷と接触する魚介類の表面を傷めるという不都合がある。
【０００５】
これに関り、角氷やシャーベット状氷に代わるために、米国特許第６５０８４１２Ｂ１号（特許文献１）でのような人工降雪装置が考えられる。しかしながら、人工降雪装置は、スキー場で雪を補うためのレジャーの用途に限定されていて、雪の大きさや品質を制御することができないという欠点があり、また、塩分を含まない。
【０００６】
また、韓国特許第１０−０４９８７３５号（特許文献２）は、海水氷製造装置を開示している。但し、この装置は、瞬時に氷を生成した後、破鎖する構造でなっていて、塩分の濃度がそのまま保たれ、低塩分の氷を生成することが不可能であるという不都合がある。
【０００７】
一方、別途の製氷装置がない中小型漁船は、陸上で魚倉に氷を貯蔵及び補充して使用するか、海上で氷供給船から予冷用氷の供給を受けて使用している。ところが、船外から氷の供給を受ける方式は多大な費用がかかるだけでなく、魚介類の鮮度を充分な時間保持し難いという不都合がある。
【０００８】
そこで、魚介類の予冷に適した氷を生成することができ、また、中小型漁船への搭載に適した構成を有する製氷装置が求められている。
【先行技術文献】
【特許文献】
【０００９】
【特許文献１】米国特許第６５０８４１２号明細書
【特許文献２】韓国特許第１０−０４９８７３５号公報
【発明の概要】
【発明が解決しようとする課題】
【００１０】
本発明の一目的は、塩分を含んだ流体が触れる壁面を冷却し、壁面に生成される氷を掻き落とす方式で塩分を含んだ微細な氷を製造するようになされる装置を提供するためである。
【００１１】
本発明の他の一目的は、塩分を含んだ流体の供給、微細な氷の生成及び収集が連続的な流れによって行われる構成を有する塩分を含んだ微細な氷の製造装置を提供するためである。
【課題を解決するための手段】
【００１２】
本発明の一目的を達成するために、本発明に係る塩分を含んだ微細な氷の製造装置は、塩分を含んだ流体を供給するようになされる給水ユニット；前記給水ユニットから供給される流体を噴霧するように形成される噴霧ノズルを備える給気ユニット；及び、前記噴霧ノズルから噴霧される流体を冷却して、塩分を含んだ微細な氷を生成するようになされる製氷ユニットを含み、前記製氷ユニットは、前記噴霧ノズルから噴霧される流体に触れる内壁が冷却するように形成される氷生成室；及び、前記氷生成室の内壁に生成される氷を掻き落とすように形成されるスクレーパを含む。
【００１３】
本発明の他の一目的を達成するために、本発明に係る塩分を含んだ微細な氷の製造装置は、塩分を含んだ流体を供給するようになされる給水ユニット；前記給水ユニットから供給される流体を噴霧するように形成される噴霧ノズルを備える給気ユニット；及び、前記噴霧ノズルから噴霧される流体を冷却して、塩分を含んだ微細な氷を生成するようになされる製氷ユニットを含み、前記製氷ユニットは、前記噴霧ノズルから噴霧される流体に触れる内壁が冷却するように形成される氷生成室；前記氷生成室の内壁に生成される氷を掻き落とすように形成されるスクレーパ；及び、前記氷生成室と連通して前記スクレーパにより前記氷生成室の内壁から分離される氷を収容するように形成される氷貯蔵室を含む。
【００１４】
前記給気ユニットは、両端部が前記氷貯蔵室及び前記氷生成室にそれぞれ連通するように形成される循環空気流路；及び、前記循環空気流路に設けられ、前記循環空気流路に前記氷貯蔵室から前記氷生成室に向かう空気の流れを形成するように駆動される送風機をさらに含み得る。
【００１５】
前記給気ユニットは、両端部が前記氷貯蔵室及び前記噴霧ノズルにそれぞれ連通するように形成される圧縮空気流路；及び、前記圧縮空気流路に設けられ、前記氷貯蔵室から空気を回収及び圧縮して前記噴霧ノズルに吐出するように駆動されるエアコンプレッサーをさらに含み得る。
【発明の効果】
【００１６】
以上で説明した解決手段によって構成される本発明によれば、次のような効果がある。
【００１７】
本発明に係る塩分を含んだ微細な氷の製造装置は、内壁が冷却する氷生成室と、内壁を掻き落とすスクレーパによって微細な氷が生成及び収集される。かかる構成によれば、塩分を含み、且つ均一な大きさを有する微細な氷が製造され、魚介類の保管に用いる際、魚介類の物理的な損傷が防止され、腐敗が抑制されることができる。さらに、微細な氷が氷生成室の内壁で瞬時に生成されて収集されることにより、空中で氷核を生成及び成長させる必要がなくなって省スペースになり、小型化を具現し易いというメリットがある。
【００１８】
本発明に係る塩分を含んだ微細な氷の製造装置は、上側から流体が供給されて壁面で氷が生成され、下側に落下して微細な氷が生成及び収集できる。また、流体が供給される側から氷が貯蔵される側へ空気の流れが形成され、微細な氷の生成及び収集の連続的な流れを円滑にすることができる。これにより、装置が小型化できるだけでなく、効率良く駆動できる。
【図面の簡単な説明】
【００１９】
【図１】本発明に係る微細な氷の製造装置の概念図である。
【図２】図１に図示された製氷ユニットの一部を示した側面図である。
【図３】図２に図示された製氷ユニットの一部を示した平面図である。
【図４】図２に図示されたシャフトガイドを示した平面図である。
【図５】図２に図示された氷生成室を示した断面図である。
【図６】図２に図示されたガイドブレードを示した平面図である。
【発明を実施するための形態】
【００２０】
以下では、添付した図面を参照しながら、本発明が属する技術分野で通常の知識を持った者が容易に実施できるように本発明の実施例を詳しく説明する。しかし、本発明は様々な異なる形態で具現されることができ、ここで説明する実施例に限定されない。さらに、図面において、本発明を明確に説明するために、説明と関係ない部分は省略しており、明細書の全体を通じて類似した部分に対しては類似した図面符号を付けた。
【００２１】
明細書の全体において、ある部分が他の部分と「連結」されているというと、これは「直接的に連結」されている場合だけでなく、その間に他の素子を介して「電気的に連結」されている場合も含む。また、ある部分がある構成要素を「含む」というと、これは、特に反対の記載がない限り、他の構成要素を除くのではなく、他の構成要素をさらに含み得ることを意味する。さらに、本発明の明細書の全体において、ある部材が他の部材の「上に」位置しているというと、これは、ある部材が他の部材に接している場合だけでなく、両部材の間にまた他の部材が存在する場合も含む。
【００２２】
本発明に係る塩分を含んだ微細な氷の製造装置は、塩分を含んだ流体を氷生成室内に噴霧し、氷生成室の冷却した内壁に生成される氷を掻き落として収集することで、微細な氷を生成及び貯蔵するように構成される。
【００２３】
図１は、本発明に係る微細な氷の製造装置の概念図である。図２は、図１に図示された製氷ユニットの一部を示した側面図であり、図３は、図２に図示された製氷ユニットの一部を示した平面図である。図４は、図２に図示されたシャフトガイドを示した平面図であり、図５は、図２に図示された氷生成室を示した断面図である。また、図６は、図２に図示されたガイドブレードを示した平面図である。
【００２４】
図１を参照すれば、本発明に係る塩分を含んだ微細な氷の製造装置（１０）は、給水ユニット（１００）、給気ユニット（２００）及び製氷ユニット（３００）を含む。給水ユニット（１００）は、既設定された塩分濃度及び温度を有する流体を生成または保管することができる。給気ユニット（２００）は、給水ユニット（１００）から流体の供給を受けて製氷ユニット（３００）に噴霧し、製氷ユニット（３００）内に適切な流れを形成する役割をする。製氷ユニット（３００）は、噴霧される流体を冷却して微細な氷を生成する機能を果たす。
【００２５】
具体的に、給水ユニット（１００）は、給水タンク（１１０）及び塩供給部（１２０）を備えることができる。給水タンク（１１０）には外部から供給される流体である、水が貯蔵され得る。塩供給部（１２０）は、外部から供給を受けた塩を収容し、塩を給水タンク（１１０）に供給するように形成され得る。塩供給部（１２０）が給水タンク（１１０）に供給する塩の量は、給水タンク（１１０）内の流体の塩分濃度に応じて可変に調節され得る。塩供給部（１２０）によって給水タンク（１１０）に塩が供給されることで、給水タンク（１１０）には、塩分を含んだ流体、例えば、塩水が貯蔵される。
【００２６】
また、給水ユニット（１００）は、流体供給流路（１３０）及びポンプ（１４０）をさらに備えることができる。流体供給流路（１３０）は、給水タンク（１１０）と後述する噴霧ノズル（２１０）とを互いに連通させるように形成され得る。流体供給流路（１３０）は、給水タンク（１１０）の下部から製氷ユニット（３００）の上部に連結される配管でなり得る。ポンプ（１４０）は、流体供給流路（１３０）に設けられ、給水タンク（１１０）の流体を噴霧ノズル（２１０）に供給するように駆動される。
【００２７】
また、本発明の給水ユニット（１００）は、温調部をさらに備えることができる。温調部は、温度センサ及びヒータを含み、給水タンク（１１０）内の温度を既設定された値または範囲内に維持させるように動作する。
【００２８】
一方、給気ユニット（２００）は、噴霧ノズル（２１０）を含む。噴霧ノズル（２１０）は、給水ユニット（１００）から供給される塩分を含んだ流体を霧化して製氷ユニット（３００）に供給するようになされる。噴霧ノズル（２１０）は、後述する氷生成室（３１０）に装着され、塩分を含んだ流体に既設定された圧力の空気を混合して氷生成室（３１０）内に噴霧するようになされる。噴霧ノズル（２１０）を含む給気ユニット（２００）の詳細な構造及び機能は後述する。
【００２９】
製氷ユニット（３００）は、噴霧ノズル（２１０）から塩分を含んだ流体の供給を受け、微細な氷を生成するようになされる。本発明に係る製氷ユニット（３００）は、氷生成室（３１０）、冷凍機（３２０）及びスクレーパ（３３０）を含み得る。
【００３０】
氷生成室（３１０）は、円筒状の容器でなり、噴霧ノズル（２１０）は、氷生成室（３１０）に装着され得る。塩分を含んだ流体は、噴霧ノズル（２１０）から噴射されて氷生成室（３１０）の内部空間に流入される。
【００３１】
本発明においては、氷生成室（３１０）の内壁（３１１）が冷却するようになされ、噴霧される流体が内壁（３１１）に触れて冷却及び製氷される。氷生成室（３１０）の内壁（３１１）を冷却するための冷凍機（３２０）は、冷媒を循環させる冷凍サイクル装置で構成され得る。例えば、冷凍機（３２０）は、冷媒圧縮機、コンデンサー及び膨脹バルブを含み、膨脹バルブを通った冷媒は、氷生成室（３１０）の内壁（３１１）と熱交換した後、冷凍機（３２０）に回収される。
【００３２】
スクレーパ（３３０）は、氷生成室（３１０）内に位置し、氷生成室（３１０）の内壁（３１１）に生成される氷を掻き落とすように形成され得る。塩分を含んだ流体は、氷生成室（３１０）の内壁（３１１）に触れ、瞬時に氷核が生成されながら凍結され、微細な氷になる。スクレーパ（３３０）は、内壁（３１１）に生成される氷を継続的に掻き落とすことにより、必要以上に成長する前に微細な氷を収集することができる。微細な氷が生成及び収集される過程で塩が氷に付着することにより、塩分を含んだ微細な氷が生成されることができる。
【００３３】
一方、スクレーパ（３３０）によって氷が掻き落とされ易くなるように、氷生成筒の内壁（３１１）は鏡面仕上げされるか、撥水性のある樹脂などがコーティングされ得る。
【００３４】
本発明に係る塩分を含んだ微細な氷の製造装置（１０）によれば、塩分を含み、且つ均一な大きさを有する微細な氷が製造されることができる。本発明によって製造される微細な氷は、魚介類の予冷用に好適であり、特に、魚介類の物理的な損傷が防止され、腐敗が抑制されることができる。
【００３５】
さらに、本発明は、微細な氷が氷生成室（３１０）の内壁（３１１）で瞬時に生成されて収集されることにより、空中で氷核を生成及び成長させる必要がなくなって省スペースになり、小型化を具現し易いというメリットがある。よって、本発明に係る塩分を含んだ微細な氷の製造装置（１０）は、中小型漁船に設けられて使用するに好適であるというメリットがある。
【００３６】
以下では、本発明に備えられる製氷ユニット（３００）についてより詳しく説明する。
【００３７】
冷凍機（３２０）によって供給される冷媒の熱交換のために、図２及び図５に図示されるように、氷生成室（３１０）は、内壁（３１１）と内壁（３１１）を取り囲む外壁（３１２）との間に形成される冷媒収容部（３１３）を含み得る。冷媒収容部（３１３）には、冷凍機（３２０）から低温の冷媒が供給され、冷媒収容部（３１３）内を循環した冷媒は冷凍機（３２０）に回収される。
【００３８】
また、氷生成室（３１０）は、内壁（３１１）から外壁（３１２）に向かう方向へ突き出す複数のフィン（３１４）をさらに備えることができる。複数のフィン（３１４）は、冷媒収容部（３１３）の内部に位置され、冷媒と内壁（３１１）との接触面積を増大させることにより、熱交換を促進させることができる。
【００３９】
また、氷生成室（３１０）は、冷却温度センサ（３１５）をさらに備えることができる。図示のように、冷却温度センサ（３１５）は、氷生成室（３１０）に装着され、内壁（３１１）の温度を感知するように構成される。本発明に備えられる冷凍機（３２０）は、冷却温度センサ（３１５）によって感知される値により制御され、内壁（３１１）の温度を塩分を含んだ氷を生成するに適した温度（例えば、零下３０℃）に維持することができる。
【００４０】
一方、スクレーパ（３３０）は、継続的に氷を収集できるようにシャフト（３３１）、駆動部（３３２）及び掻き取りブレード（３３３）を含み得る。シャフト（３３１）は、氷生成室（３１０）の内部に位置し、図示のように、円筒状の氷生成室（３１０）の中心軸と並んで位置することができる。また、駆動部（３３２）は、シャフト（３３１）に連結され、シャフト（３３１）を回転させる。駆動部（３３２）は、電源供給または外部動力伝達によって駆動される。
【００４１】
掻き取りブレード（３３３）は、氷生成室（３１０）の内部でシャフト（３３１）と連結されて回転されるようになされる。掻き取りブレード（３３３）は、シャフト（３３１）から氷生成室（３１０）の内壁（３１１）に向かって延長し、内壁（３１１）を掻き出しながら回転するように形成され得る。また、掻き取りブレード（３３３）は、噴霧ノズル（２１０）から供給される流体を氷生成室（３１０）の内壁（３１１）側にガイドするように、回転によって内部に円周方向の流動を形成するようになされる。
【００４２】
本発明に係る塩分を含んだ微細な氷の製造装置（１０）において、シャフト（３３１）及び氷生成室（３１０）は、縦方向（例えば、地面に垂直な方向）に延長されるように配置され得る。また、氷生成室（３１０）の上端には噴霧ノズル（２１０）が装着され得る。図２に示すように、氷生成室（３１０）の上部には、噴霧ノズル（２１０）が設けられるノズル筐体（３４０）が結合され得る。
【００４３】
また、図２及び図４に示すように、氷生成室（３１０）には、シャフト（３３１）の上端を回転自在に支持するシャフトガイド（３５０）が装着され得る。シャフトガイド（３５０）は、シャフト（３３１）の外周面を支持するブッシュ（３５１）と、ブッシュ（３５１）から半径方向に延長して氷生成室（３１０）に連結及び支持される複数のレッグ（３５２）と、ブッシュ（３５１）の上側を覆うようになされるキャップ（３５３）を備えることができる。
【００４４】
縦方向に延長するシャフト（３３１）と共に回転される掻き取りブレード（３３３）が氷生成室（３１０）の内周面（内壁（３１１））を掻き出すと、内壁（３１１）から分離される微細な氷は重力によって氷生成室（３１０）の下部に落下する。また、微細な氷は、氷生成室（３１０）の内部空間で流体と共に互いにくっついて所定の塊状で収集される。
【００４５】
一方、製氷ユニット（３００）は、氷生成室（３１０）と連通する氷貯蔵室（３６０）をさらに含み得る。氷貯蔵室（３６０）には、スクレーパ（３３０）によって内壁（３１１）から分離及び収集される微細な氷が収容される。氷貯蔵室（３６０）にはドアが設けられ、微細な氷を引き出すようになされる。
【００４６】
具体的に、図２に示すように、氷貯蔵室（３６０）は、ガイド部（３６１）及び貯蔵空間（３６２）を含み得る。ガイド部（３６１）の一端部は、氷生成室（３１０）の下端に連結され、氷生成室（３１０）と連通することができる。また、ガイド部（３６１）は、氷生成室（３１０）が延長する縦方向に対して傾いた方向に延長するように形成され得る。氷生成室（３１０）の下部に収集された氷は、傾いたガイド部（３６１）に沿って移動する。
【００４７】
ガイド部（３６１）の他端部は、貯蔵空間（３６２）と連通することができる。貯蔵空間（３６２）は、氷生成室（３１０）より下側に位置し、貯蔵空間（３６２）には、ガイド部（３６１）に沿って移動した微細な氷が満たされる。
【００４８】
以上で説明したように、縦方向に氷生成室（３１０）の上部に位置する噴霧ノズル（２１０）から流体が供給され、氷生成室（３１０）で微細な氷が生成されて落下及び収集され、氷生成室（３１０）の下部に連結される氷貯蔵室（３６０）に微細な氷が貯蔵される。かかる本発明の配置により、微細な氷が狭い空間で連続的に生成されて蓄積できる。これによって、微細な氷の製造及び貯蔵に必要な空間及びエネルギーが大きく節約できる。
【００４９】
また、図２及び図６に図示されるように、スクレーパ（３３０）は、ガイド部（３６１）における氷の移送を助けるためのガイドブレード（３３４）をさらに含み得る。縦方向に配置されるスクレーパ（３３０）のシャフト（３３１）は、氷生成室（３１０）の下部からガイド部（３６１）の内部まで延長するように形成され得る。このとき、シャフト（３３１）とガイド部（３６１）の傾いた内面とが当接する位置に、シャフト（３３１）と連結されて回転するガイドブレード（３３４）が装着され得る。
【００５０】
ガイドブレード（３３４）は、シャフト（３３１）を中心に回転しながら、ガイド部（３６１）の傾いた内面を掃き出すように形成され得る。傾いた内面に当接されて回転するために、ガイドブレード（３３４）は既設定された範囲でシャフト（３３１）に対する角度が可変できるようになされる。ガイドブレード（３３４）によって、微細な氷はガイド部（３６１）に沿って貯蔵空間（３６２）に円滑に移送されることができる。
【００５１】
以下では、本発明に係る塩分を含んだ微細な氷の製造装置（１０）の給気ユニット（２００）について詳しく説明する。給気ユニット（２００）は、前述した塩分を含んだ流体を噴霧する機能と共に、氷生成室（３１０）内に空気の流れを形成する機能をさらに果たす。
【００５２】
図１を参照すれば、給気ユニット（２００）は、圧縮空気流路（２２０）及びエアコンプレッサー（２３０）をさらに含み得る。圧縮空気流路（２２０）は、氷貯蔵室（３６０）と噴霧ノズル（２１０）に両端部がそれぞれ連通するように形成され得る。そして、エアコンプレッサー（２３０）は、圧縮空気流路（２２０）に設けられ、氷貯蔵室（３６０）から空気を回収して圧縮し、噴霧ノズル（２１０）に向けて圧縮された空気を吐出するように駆動され得る。
【００５３】
また、給気ユニット（２００）は、循環空気流路（２４０）及び送風機（２５０）をさらに含み得る。循環空気流路（２４０）は、両端部が氷貯蔵室（３６０）及び氷生成室（３１０）にそれぞれ連通するように形成され得る。より具体的に、循環空気流路（２４０）の一端部は、貯蔵空間（３６２）に連通し、他端部は、氷生成室（３１０）の上部に連通することができる。送風機（２５０）は循環空気流路（２４０）に設けられ、氷貯蔵室（３６０、より詳しくは貯蔵空間（３６２））から氷生成室（３１０）に向かう空気の流れを形成することができる。
【００５４】
上述した縦方向の氷生成室（３１０）の配置と、給気ユニット（２００）によって氷生成室（３１０）内に上側から下側に向かう空気の流れが形成されることにより、微細な氷が連続的に生成及び収集される過程が効率良く行われ得る。これによって、本発明に係る塩分を含んだ微細な氷の製造装置（１０）は小型化に有利であるというメリットがさらに極大化できる。
【００５５】
一方、氷貯蔵室（３６０）は、圧縮空気流路（２２０）または循環空気流路（２４０）に空気が流出される経路上に位置するフィルター部（３６３）をさらに含み得る。図１に示すように、フィルター部（３６３）は、貯蔵空間（３６２）の内部に装着され、圧縮空気流路（２２０）及び循環空気流路（２４０）が連通する空間と、微細な氷が貯蔵される空間とを区切るようになされる。フィルター部（３６３）は、メッシュ状でなり、フィルター部（３６３）に空気は通過するが、微細な氷は通過することが制限され得る。フィルター部（３６３）が付加されることで、給気ユニット（２００）の圧縮空気流路（２２０）及び循環空気流路（２４０）に異物や微細な氷が混入することが制限できる効果がある。
【００５６】
前述した本発明の説明は、例示のためのものであり、本発明が属する技術分野の通常の知識を持った者は、本発明の技術的思想や必須的な特徴を変更することなく、他の具体的な形態に容易に変形可能であることが理解できるであろう。従って、以上で記述した実施例は、全ての面で例示的であり、限定的でないと理解すべきである。例えば、単一型で説明されている各構成要素は、分散して実施されることもでき、同様に分散したものと説明されている構成要素も、結合した形態で実施されることができる。
【００５７】
本発明の範囲は、詳細な説明よりは後述する請求の範囲によって示され、請求の範囲の意味及び範囲、そしてその均等概念から導出される全ての変更または変形された形態が本発明の範囲に含まれると解釈すべきである。
【符号の説明】
【００５８】
１０  塩分を含んだ微細な氷の製造装置、１００  給水ユニット、１１０  給水タンク、２０  塩供給部、１３０  流体供給流路、１４０  ポンプ、２００  給気ユニット、２１０  噴霧ノズル、２２０  圧縮空気流路、２３０  エアコンプレッサー、２４０  循環空気流路、２５０  送風機、３００  製氷ユニット、３１０  氷生成室、３１１  内壁、３１２  外壁、３１３  冷媒収容部、３１４  フィン、３１５  冷却温度センサ、３２０  冷凍機、３３０  スクレーパ、３３１  シャフト、３３２  駆動部、３３３  掻き取りブレード、３３４  ガイドブレード、３４０  ノズル筐体、３５０  シャフトガイド、３６０  氷貯蔵室、３６１  ガイド部、３６２  貯蔵空間、３６３  フィルター部。
【図１】
2020016427.tif 000003
【図２】
2020016427.tif 000004
【図３】
2020016427.tif 000005
【図４】
2020016427.tif 000006
【図５】
2020016427.tif 000007
【図６】
2020016427.tif 000008
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
塩分を含んだ流体を供給するようになされる給水ユニット；
前記給水ユニットから供給される流体を噴霧するように形成される噴霧ノズルを備える給気ユニット；及び、
前記噴霧ノズルから噴霧される流体を冷却して、塩分を含んだ微細な氷を生成するようになされる製氷ユニットを含み、
前記製氷ユニットは、
前記噴霧ノズルから噴霧される流体に触れる内壁が冷却するように形成される氷生成室；
前記氷生成室の内壁に生成される氷を掻き落とすように形成されるスクレーパ；及び、
前記氷生成室と連通し、前記スクレーパによって前記氷生成室の内壁から分離される氷を収容するように形成される氷貯蔵室を含み、
前記給気ユニットは、
両端部が前記氷貯蔵室及び前記噴霧ノズルにそれぞれ連通するように形成される圧縮空気流路；及び、
前記圧縮空気流路に設けられ、前記氷貯蔵室から空気を回収及び圧縮して前記噴霧ノズルに吐出するように駆動されるエアコンプレッサーをさらに含む、塩分を含んだ微細な氷の製造装置。
【請求項２】
前記氷生成室は、前記内壁と前記内壁を取り囲む外壁との間に形成される冷媒収容部を含む、請求項１に記載の塩分を含んだ微細な氷の製造装置。
【請求項３】
前記氷生成室は、前記内壁から前記外壁に向かう方向へ突き出すように形成される複数のフィンを備える、請求項２に記載の塩分を含んだ微細な氷の製造装置。
【請求項４】
前記製氷ユニットは、前記冷媒収容部を経由して冷媒を循環させるようになされる冷凍機をさらに含む、請求項２に記載の塩分を含んだ微細な氷の製造装置。
【請求項５】
前記スクレーパは、
前記氷生成室の内部に位置するシャフト；
前記シャフトと連結されて前記シャフトを駆動するようになされる駆動部；及び、
前記氷生成室の内部で前記シャフトと連結され、回転によって前記氷生成室の内壁に形成される氷を掻き落とすようになされる掻き取りブレードを含む、請求項１に記載の塩分を含んだ微細な氷の製造装置。
【請求項６】
前記氷生成室は、前記シャフトと並んで縦方向に延長され、上端に前記噴霧ノズルが装着される円筒状でなり、
前記掻き取りブレードは、回転によって前記氷生成室の内周面に生成される氷を掻き落とすように形成されることを特徴とする、請求項５に記載の塩分を含んだ微細な氷の製造装置。
【請求項７】
前記氷貯蔵室は、
一端部が前記氷生成室の下端と連通し、前記氷生成室が延長する縦方向に対して傾いた方向に延長されるガイド部；及び、
前記ガイド部の他端部と連通する貯蔵空間を含む、請求項１に記載の塩分を含む微細な氷の製造装置。
【請求項８】
前記スクレーパは、前記ガイド部内の傾いた内面を掃き出すように形成されるガイドブレードを含む、請求項７に記載の塩分を含んだ微細な氷の製造装置。
【請求項９】
前記給気ユニットは、
両端部が前記氷貯蔵室及び前記氷生成室にそれぞれ連通するように形成される循環空気流路；及び、
前記循環空気流路に設けられ、前記循環空気流路に前記氷貯蔵室から前記氷生成室に向かう空気の流れを形成するように駆動される送風機をさらに含む、請求項１に記載の塩分を含んだ微細な氷の製造装置。
【請求項１０】
前記氷貯蔵室は、メッシュ状でなり、空気が流出される経路を覆うように装着されるフィルター部を含む、請求項１に記載の塩分を含んだ微細な氷の製造装置。
【請求項１１】
前記氷生成室内に上側から下側に氷及び流体の流れが形成されるように、
前記氷生成室の上端に前記噴霧ノズルが装着され、前記氷生成室の下端に前記氷貯蔵室が連結されることを特徴とする、請求項１に記載の塩分を含んだ微細な氷の製造装置。
【請求項１２】
前記給水ユニットは、
塩分を含んだ流体を収容するように形成される給水タンク；
前記給水タンクに供給される塩を収容するように形成される塩供給部；
前記給水タンクと前記噴霧ノズルとを互いに連通させるように形成される流体供給流路；及び、
前記流体供給流路に設けられ、前記給水タンクの流体を前記噴霧ノズルに供給するように駆動されるポンプを含む、請求項１に記載の塩分を含んだ微細な氷の製造装置。